(57)【特許請求の範囲】
【請求項１】
頂壁(２)外周から外周壁(３)を垂下するキャップ本体(１)と、該キャップ本体後部へヒンジ(11)を介して付設した補助蓋(13)とからなり、
キャップ本体上端部へ補助蓋の周壁(12)を嵌合させることでキャップ本体頂壁が有する収納物取出し孔を密閉可能となし、
又キャップ本体外周壁の左右両部を、弾性変形可能な２つの押釦(９)に形成し、かつこれら両押釦の上端部外面へ付設した係合爪(10)を補助蓋周壁に設けた係止部(16)へ係合させて補助蓋の開蓋が不能となし、又該状態から押釦を弾性に抗して内方へ変位させることで係合爪(10)が係止部(16)から外れて補助蓋(13)の開蓋が可能とした補助蓋付き安全キャップにおいて、
上記押釦(９)の前後両面と、これら前後両面と対向する、キャップ本体外周壁部分の前後両面とを側外方からみて上下方向に傾斜する一対の弾性片(17)で肉薄ヒンジを介し連結させて、この弾性片の上下方向弾性反転によりキャップ本体に対して押釦(９)が上下へ移動可能となし、
両押釦(９)が上限に位置する状態では係合爪(10)が係止部(16)へ係合すると共に、下限に位置する状態では、押釦上面を補助キャップ周壁の左右両部下面よりも下方に位置させて設けた
ことを特徴とする補助蓋付き安全キャップ。
【請求項２】
頂壁(２)外周から外周壁(３)を垂下するキャップ本体(１)と、該キャップ本体後部へヒンジ(11)を介して付設した補助蓋(13)とからなり、
キャップ本体上端部を上向き段部(５)を介して小外径部(６)として該小外径部へ補助蓋の周壁(12)を嵌合させることでキャップ本体頂壁が有する収納物取出し孔を密閉可能となし、
又キャップ本体の左右両部を、上記上向き段部形成部分(5a)と小外径部形成部分（6a）と外周壁形成部分（3a）とを有する、２つの弾性変形可能な押釦(９)に形成して、これら両押釦の上端部外面へ付設した係合爪(10)を補助蓋周壁に設けた係止部(16)へ係合させて、補助蓋の開蓋が不能となし、又該状態から押釦を弾性に抗して内方へ変位させることで係合爪(10)が係止部(16)から外れて補助蓋(13)の開蓋が可能とした補助蓋付き安全キャップにおいて、
上記押釦(９)の外周壁形成部分(3a)の前後両面と、これら前後両面と対向する、キャップ本体外周壁部分の前後両面とを、上方からみて内外方向へ傾斜する前後一対の弾性板(18)で肉薄ヒンジを介し連結させて、その弾性板の弾性反転によりキャップ本体に対して押釦(９)がキャップ本体内外両方向へ移動可能となし、
上記押釦(９)が外方に位置する状態では係合爪(10)が係止部(16)へ係合すると共に、内方に位置する状態では、係合爪(10)が係止部(16)から離脱するように形成した
ことを特徴とする補助蓋付き安全キャップ。
【請求項３】
頂壁(２)外周から外周壁(３)を垂下するキャップ本体(１)と、該キャップ本体後部へヒンジ(11)を介して付設した補助蓋(13)とからなり、
キャップ本体上端部へ補助蓋の周壁(12)を嵌合させることでキャップ本体頂壁が有する収納物取出し孔を密閉可能となし、
又キャップ本体の外周壁一部を、弾性変形可能な押釦(９)に形成し、かつ該押釦の上端部外面へ付設した係合爪(10)を補助蓋周壁に設けた係止部(16)へ係合させて補助蓋の開蓋が不能となし、又該状態から押釦を弾性に抗して内方へ変位させることで係合爪(10)が係止部(16)から外れて補助蓋(13)の開蓋が可能とした補助蓋付き安全キャップにおいて、
上記押釦(９)の左右両面と、該両面と対向する、キャップ本体外周壁部分の両面とを、側外方からみて上下方向に傾斜する弾性片(17)で肉薄ヒンジを介し連結させて、その弾性片の上下方向弾性反転によりキャップ本体に対して押釦(９)が上下へ移動可能となし、
押釦(９)が上限に位置する状態では係合爪(10)が係止部(16)へ係合すると共に、下限に位置する状態では、押釦上面を補助キャップ周壁の下面よりも下方に位置させて設けた
ことを特徴とする補助蓋付き安全キャップ。
【請求項４】
頂壁(２)外周から外周壁(３)を垂下するキャップ本体(１)と、該キャップ本体後部へヒンジ(11)を介して付設した補助蓋(13)とからなり、
キャップ本体上端部へ補助蓋の周壁(12)を嵌合させることでキャップ本体頂壁が有する収納物取出し孔を密閉可能となし、
又キャップ本体外周壁の一部を、弾性変形可能な押釦(９)に形成して、該押釦の上端部外面へ付設した係合爪(10)を補助蓋周壁に設けた係止部(16)へ係合させて、補助蓋の開蓋が不能となし、又該状態から押釦を弾性に抗して内方へ変位させることで係合爪(10)が係止部(16)から外れて補助蓋(13)の開蓋が可能とした補助蓋付き安全キャップにおいて、
上記押釦(９)の左右両面と、該左右両面と対向する、キャップ本体外周壁部分の両面とを、上方からみて内外方向へ傾斜する弾性板(18)で肉薄ヒンジを介し連結させて、その弾性板の弾性反転によりキャップ本体に対して押釦(９)がキャップ本体内外両方向へ移動可能となし、押釦(９)が外方に位置する状態では係合爪(10)が係止部(16)へ係合すると共に、内方に位置する状態では、係合爪(10)が係止部(16)から離脱するように形成した
ことを特徴とする補助蓋付き安全キャップ。
【発明の詳細な説明】
【０００１】
【発明の属する技術分野】
本発明は、補助蓋付きの安全キャップに関する。
【０００２】
【従来の技術】
特開平10-264953 号が示すように、頂壁外周から外周壁を垂下するキャップ本体と、該キャップ本体後部へヒンジを介して付設した補助蓋とからなり、キャップ本体上部を小外径部とし、かつキャップ本体左右両部の外周壁下端部を除く部分を割溝穿設により押釦に形成し、これ等両押釦をキャップ本体内方へ押込むと、上記小外径部へ嵌合させた補助蓋周壁が有する係止部から、押釦の上端部外面へ付設された係合爪が外れて、該状態でだけキャップ本体上部から補助蓋を開蓋することが可能とした合成樹脂製の補助蓋付き安全キャップが知られている。
【０００３】
【発明が解決しようとする課題】
本発明は子供等による誤使用防止と、誤使用のおそれのない者に対する使い易さとを両立させることを目的とする。
【０００４】
【課題を解決するための手段】
第１の手段として頂壁(２)外周から外周壁(３)を垂下するキャップ本体(１)と、該キャップ本体後部へヒンジ(11)を介して付設した補助蓋(13)とからなり、
キャップ本体上端部へ補助蓋の周壁(12)を嵌合させることでキャップ本体頂壁が有する収納物取出し孔を密閉可能となし、
又キャップ本体外周壁の左右両部を、弾性変形可能な２つの押釦(９)に形成し、かつこれら両押釦の上端部外面へ付設した係合爪(10)を補助蓋周壁に設けた係止部(16)へ係合させて補助蓋の開蓋が不能となし、又該状態から押釦を弾性に抗して内方へ変位させることで係合爪(10)が係止部(16)から外れて補助蓋(13)の開蓋が可能とした補助蓋付き安全キャップにおいて、
上記押釦(９)の前後両面と、これら前後両面と対向する、キャップ本体外周壁部分の前後両面とを側外方からみて上下方向に傾斜する一対の弾性片(17)で肉薄ヒンジを介し連結させて、この弾性片の上下方向弾性反転によりキャップ本体に対して押釦(９)が上下へ移動可能となし、
両押釦(９)が上限に位置する状態では係合爪(10)が係止部(16)へ係合すると共に、下限に位置する状態では、押釦上面を補助キャップ周壁の左右両部下面よりも下方に位置させて設けた。
【０００５】
第２の手段として頂壁(２)外周から外周壁(３)を垂下するキャップ本体(１)と、該キャップ本体後部へヒンジ(11)を介して付設した補助蓋(13)とからなり、
キャップ本体上端部を上向き段部(５)を介して小外径部(６)として該小外径部へ補助蓋の周壁(12)を嵌合させることでキャップ本体頂壁が有する収納物取出し孔を密閉可能となし、
又キャップ本体の左右両部を、上記上向き段部形成部分(5a)と小外径部形成部分（6a）と外周壁形成部分（3a）とを有する、２つの弾性変形可能な押釦(９)に形成して、これら両押釦の上端部外面へ付設した係合爪(10)を補助蓋周壁に設けた係止部(16)へ係合させて、補助蓋の開蓋が不能となし、又該状態から押釦を弾性に抗して内方へ変位させることで係合爪(10)が係止部(16)から外れて補助蓋(13)の開蓋が可能とした補助蓋付き安全キャップにおいて、
上記押釦(９)の外周壁形成部分(3a)の前後両面と、これら前後両面と対向する、キャップ本体外周壁部分の前後両面とを、上方からみて内外方向へ傾斜する前後一対の弾性板(18)で肉薄ヒンジを介し連結させて、その弾性板の弾性反転によりキャップ本体に対して押釦(９)がキャップ本体内外両方向へ移動可能となし、
上記押釦(９)が外方に位置する状態では係合爪(10)が係止部(16)へ係合すると共に、内方に位置する状態では、係合爪(10)が係止部(16)から離脱するように形成した。
【０００６】
第３の手段として頂壁(２)外周から外周壁(３)を垂下するキャップ本体(１)と、該キャップ本体後部へヒンジ(11)を介して付設した補助蓋(13)とからなり、
キャップ本体上端部へ補助蓋の周壁(12)を嵌合させることでキャップ本体頂壁が有する収納物取出し孔を密閉可能となし、
又キャップ本体の外周壁一部を、弾性変形可能な押釦(９)に形成し、かつ該押釦の上端部外面へ付設した係合爪(10)を補助蓋周壁に設けた係止部(16)へ係合させて補助蓋の開蓋が不能となし、又該状態から押釦を弾性に抗して内方へ変位させることで係合爪(10)が係止部(16)から外れて補助蓋(13)の開蓋が可能とした補助蓋付き安全キャップにおいて、
上記押釦(９)の左右両面と、該両面と対向する、キャップ本体外周壁部分の両面とを、側外方からみて上下方向に傾斜する弾性片(17)で肉薄ヒンジを介し連結させて、その弾性片の上下方向弾性反転によりキャップ本体に対して押釦(９)が上下へ移動可能となし、押釦(９)が上限に位置する状態では係合爪(10)が係止部(16)へ係合すると共に、下限に位置する状態では、押釦上面を補助キャップ周壁の下面よりも下方に位置させて設けた。
【０００７】
第４の手段として頂壁(２)外周から外周壁(３)を垂下するキャップ本体(１)と、該キャップ本体後部へヒンジ(11)を介して付設した補助蓋(13)とからなり、
キャップ本体上端部へ補助蓋の周壁(12)を嵌合させることでキャップ本体頂壁が有する収納物取出し孔を密閉可能となし、
又キャップ本体外周壁の一部を、弾性変形可能な押釦(９)に形成して、該押釦の上端部外面へ付設した係合爪(10)を補助蓋周壁に設けた係止部(16)へ係合させて、補助蓋の開蓋が不能となし、又該状態から押釦を弾性に抗して内方へ変位させることで係合爪(10)が係止部(16)から外れて補助蓋(13)の開蓋が可能とした補助蓋付き安全キャップにおいて、上記押釦(９)の左右両面と、該左右両面と対向する、キャップ本体外周壁部分の両面とを、上方からみて内外方向へ傾斜する弾性板(18)で肉薄ヒンジを介し連結させて、その弾性板の弾性反転によりキャップ本体に対して押釦(９)がキャップ本体内外両方向へ移動可能となし、押釦(９)が外方に位置する状態では係合爪(10)が係止部(16)へ係合すると共に、内方に位置する状態では、係合爪(10)が係止部(16)から離脱するように形成した。
【０００８】
【発明の実施の形態】
まず従来公知の構造について簡単に説明すると、１はキャップ本体で、該本体は頂壁２外周から外周壁３を垂下する。又頂壁下面からは容器体口頸部嵌合用の内周壁４を垂下している。図示例でその内周壁は口頸部内面へ嵌合させるシール筒4aと、口頸部外面へ嵌合させる包持筒4bとで形成している。又キャップ本体の上端部は上向き段部５を介して小外径部６としており、頂壁２の前部からは収納物取出し孔としてのノズル７を起立させている。
【０００９】
キャップ本体の左右両部は、割溝８、８を穿設することで、上記上向き段部形成部分5aと、該部上方の小外径部形成部分6aの外面と上面とを外周壁形成部分3a上方に有する押釦９、９を形成し、かつ両押釦の上端部外面へ係合爪10、10を横設している。
【００１０】
上記キャップ本体の後部へは肉薄ヒンジ11を介して上記小外径部６へ周壁12を嵌合させる補助蓋13を付設している。該補助蓋は頂板14外周から周壁12を垂下しており、又その頂板下面から上記ノズル７へ嵌合させるためのシール筒を垂下し、ヒンジ11を中心として回動させることで周壁12を小外径部６外面へ、かつシール筒をノズル７外面へ、それぞれ着脱させることが可能としている。更に周壁12の左右両部へは横長孔で形成した係止部16、16を設けており、補助蓋閉蓋時に既述係合爪10、10がその係止部へ係合して補助蓋13の開蓋が不能となり、該状態から押釦９、９上部をキャップ本体内方へ弾性変形させて押込むことで、係合爪10、10が図４のように抜出し、よって開蓋が可能としている。
【００１１】
以下本発明の構造について説明する。まず図１から図７が示す第１実施形態について説明すると、上記押釦の外周壁形成部分3a、3aの前後両面と、該前後両面と対向するキャップ本体外周壁部分の前後両面とを図３のように側外方からみて上下方向へ傾斜する弾性片17、17で肉薄ヒンジを介し連結させて、それ等弾性片が、弾性変形により死点に達した後、弾性復元することでの上下方向弾性反転により、キャップ本体１に対して押釦９、９が上下方向への反転により移動可能とし、図２、図３が示すように上方移動位置では、係合爪10、10が係止部16、16へ係合して補助蓋13の開蓋を不能とし、又図５、図６が示すように下方移動位置では、押釦９、９は補助蓋板周壁12の下端面よりも下方にあって、該状態では補助蓋の開閉が自在である。尚このとき押釦下面はキャップ本体外周壁下面と同一高さないし上方に位置させるとよい。
【００１２】
図８から図１３は第２実施形態を示す。該実施形態は、既述押釦の外周壁形成部分3a、3aの前後両面と、該前後両面と対向するキャップ本体外周壁部分3a、3aの前後両面とを図１３のように上方からみて内外方向へ傾斜する弾性板18、18で肉薄ヒンジを介し連結させて、それ等弾性板の弾性反転により、キャップ本体１に対して押釦９、９がキャップ本体の内外両方向へ弾性反転可能に形成している。又図９が示すように、押釦９、９がキャップ本体外方へ弾性反転している状態にあっては、図８が示すように係合爪10、10は係止部16、16へ係合し、よって押釦上部をキャップ本体内方へ弯曲させてその係止部から係合爪10、10を外さない限り、補助蓋13の開蓋が不能とする。
【００１３】
上記図８、図９の状態から両弾性板18、18間の押釦部分をキャップ本体内方へ強く押圧すると、両弾性板18、18は弾性反転して図１２、図１３が示すように押釦９、９はキャップ本体内方側へ弾性反転し、該状態では図１２が示すように係止部16、16から係合爪10、10が外れ、よって該状態では補助蓋13の開閉は自在となる。
【００１４】
上記各実施形態にあっては、キャップ本体の左右両部に押釦９，９を設けたが、下記のように一個とすることも出来る。
【００１５】
図１４から図１６は第３実施形態を示す。該実施形態にあっては、第１実施形態の場合と同様に形成した押釦９を容器本体外周壁３の前部に設けており、係止部16も補助蓋周壁の前部に設けている。該状態では、図１５が示すように補助蓋13閉蓋により係合爪10が係止部16に係合しているため、そのままでは開蓋できず、押釦９上部を内方へ押込み、弾性片17を弾性変形させて係合爪10を係止部16から外すことで補助蓋を開蓋できる。
【００１６】
又非安全キャップとして使用する場合は、図１６が示すように押釦９を押下げて弾性片17および押釦９を下方へ弾性反転させて係止爪10を補助蓋周壁12下面よりも下方へ移動させる。よって該状態では係止爪10が係止部16に係合することはなく、補助蓋を自由に開閉蓋することが出来る。
【００１７】
図１７から図１９は第４実施形態を示す。該実施形態は第２実施形態の場合と同様に設けた押釦９を、キャップ本体外周壁３の前部に設けたものであり、係止部16も補助蓋周壁12の前部に設けている。
【００１８】
押釦９を外方へ弾性反転させた図１８が示す状態で補助蓋13を閉蓋すると、係合爪10は係止部16に係合し、該状態では押釦９上部をキャップ内方側へ押込み、係合爪10を係止部16から外さない限り開蓋出来ない。
【００１９】
非安全キャップとして使用する場合は図１９が示すように弾性板18および押釦９をキャップ内方側へ弾性反転させる。すると係合爪10は係止部16から外れた位置へ移動するため、自由に補助蓋13を開閉蓋することが出来る。
【００２０】
尚第３実施形態は第１実施形態と、又第４実施形態は第２実施形態と上記部分を除いて同様に設けたものであり、同一部分については同一符号を付することで説明を省略する。
【００２１】
尚既述各補助蓋付き安全キャップは、それぞれ合成樹脂材で一体成形させている。
【００２２】
【発明の効果】
本発明は既述構成とするものであり、請求項１から請求項４のようにすることで、安全キャップとしても、又非安全キャップとしても任意に選択して使用することが出来る。
【００２３】
又各押釦９の上下方向ないし内外方向への弾性反転は、押釦両側に設けた弾性片17ないし弾性板18の弾性反転で行うよう設けたから、各押釦の移動位置で位置決めさせることが出来、よって人為的に弾性反転させない限り、不用意に安全キャップが非安全キャップとなったり、又非安全キャップが安全キャップになったりするおそれはない。
【図面の簡単な説明】
【図１】  補助蓋開蓋状態で示す、第１実施形態キャップの傾斜図である。
【図２】  図１補助蓋を閉蓋させて示すキャップ断面図である。
【図３】  図２キャップの側面図である。
【図４】  図２状態から押釦を押込みした状態で示す断面図である。
【図５】  図１キャップを非安全キャップとした状態で示す断面図である。
【図６】  図５キャップの側面図である。
【図７】  図６キャップの補助蓋を開蓋させて示す傾斜図である。
【図８】  第２実施形態で示す、断面図である。
【図９】  図８Ａ−Ａ線を矢示方向へみた横断面図である。
【図１０】図８キャップの側面図である。
【図１１】図８状態から押釦上部を内方へ押込みした状態で示す断面図である。
【図１２】図８キャップを非安全キャップとした状態で示す断面図である。
【図１３】図１２Ｂ−Ｂ線を矢示方向へみた横断面図である。
【図１４  】第３実施形態で示す斜視図である。
【図１５】図１４キャップを安全キャップとした状態で示す断面図である。
【図１６】図１４キャップを非安全キャップとした状態で示す断面図である。
【図１７】第４実施形態で示す斜視図である。
【図１８】図１７キャップを安全キャップとした状態で示す断面図である。
【図１９】図１７キャップを非安全キャップとした状態で示す断面図である。
【符号の説明】
１…キャップ本体              ３…外周壁
９…押釦                      10…係合爪
13…補助蓋                    16…係止部
17…弾性片                    18…弾性板
【図１】
0004014836.tif 000002
【図２】
0004014836.tif 000003
【図３】
0004014836.tif 000004
【図４】
0004014836.tif 000005
【図５】
0004014836.tif 000006
【図６】
0004014836.tif 000007
【図７】
0004014836.tif 000008
【図８】
0004014836.tif 000009
【図９】
0004014836.tif 000010
【図１０】
0004014836.tif 000011
【図１１】
0004014836.tif 000012
【図１２】
0004014836.tif 000013
【図１３】
0004014836.tif 000014
【図１４】
0004014836.tif 000015
【図１５】
0004014836.tif 000016
【図１６】
0004014836.tif 000017
【図１７】
0004014836.tif 000018
【図１８】
0004014836.tif 000019
【図１９】
0004014836.tif 000020